(57)【要約】【課題】複数の加熱コイルの配置を容易に入れ換え可能とし、加熱コイルの配置を使い勝手の良い配置に容易にできるようにすること。【解決手段】複数の加熱コイルＡ２１、Ｂ２２と加熱コイル２１、２２を支持する各々の支持体Ａ２３、Ｂ２４と加熱コイル２１、２２を駆動させるインバータ基板２５と加熱コイル２１、２２及びインバータ基板２５を冷却する冷却手段２６とインバータ基板２５及び冷却手段２６を保持する基板支持体２７を備え、基板支持体２７には両側に支持体２３、２４を、弾性体２９を介して保持する複数の支持ボス２８をも有して、支持体下面３１と支持ボス天面３２との間に空隙を設けることで、複数の加熱コイル２１、２２は基板支持体２７上での配置が容易に入れ換え可能で、かつ加熱コイル間のピッチも変更できる。【選択図】図１
2005123104.tif 000002
【特許請求の範囲】
【請求項１】
複数の被加熱物を誘導加熱する加熱コイルを有する誘導加熱調理器であって、前記複数の加熱コイルの配置の入れ換えおよび／または加熱コイルの間隔の変更を可能とする構成とした誘導加熱調理器。
【請求項２】
複数の加熱コイルと、前記加熱コイルの各々を支持する支持体と、前記加熱コイルを駆動する駆動回路を設けたインバータ基板と、前記加熱コイル及び前記駆動回路を冷却する冷却手段と、前記インバータ基板及び前記冷却手段を保持する基板支持体と、前記基板支持体の両側に設けた前記支持体を弾性体を介して保持する複数の支持ボスとを備え、前記各々の支持体の夫々の下面に複数の固定軸を設けると共に、前記複数の加熱コイルの前記基板支持体上での配置の入れ換えおよび／または加熱コイルの間隔の変更を可能とするように前記固定軸に対応して前記支持ボスを配置する構成とした誘導加熱調理器。
【請求項３】
固定軸の長さは支持体の下面と支持ボスの天面との間に空隙が生じる長さとした請求項２記載の誘導加熱調理器。
【請求項４】
直径あるいは出力を異にする複数の加熱コイルを有する請求項２または３に記載の誘導加熱調理器。
【請求項５】
直径あるいは出力を異にする複数の加熱コイルを有し、各々を支持する支持体の大きさを異にする構成とした請求項２〜４のいずれか１項に記載の誘導加熱調理器。
【請求項６】
各々の支持体は、基板支持体上を前後に移動可能な構成とした請求項２〜５のいずれか１項に記載の誘導加熱調理器。
【請求項７】
複数の加熱コイルを支持する各々の支持体は、基板支持体上で１８０度回転させて配置の入れ替え可能な構成とした請求項２〜６のいずれか１項に記載の誘導加熱調理器。
【請求項８】
支持体には、加熱コイルの端子部を固定する端子台を設ける構成とした請求項２〜７のいずれか１項に記載の誘導加熱調理器。
【請求項９】
基板支持体を支持する外郭を備え、前記基板支持体は１８０度回転させて前記外郭に取付け可能な構成とした請求項２〜８のいずれか１項に記載の誘導加熱調理器。
【請求項１０】
基板支持体は９０度回転させて取付け可能な構成とした請求項２〜９のいずれか１項に記載の誘導加熱調理器。
【請求項１１】
基板支持体には、支持ボスの外側でかつ支持体より外側に壁を設ける構成とした請求項２〜１０のいずれか１項に記載の誘導加熱調理器。
【発明の詳細な説明】
【技術分野】
【０００１】
本発明は、出力の異なる加熱コイルの配置変更を容易にした誘導加熱調理器の構成に関するものである。
【背景技術】
【０００２】
従来の誘導加熱調理器は複数の加熱コイル、例えば、４個の加熱コイルを機器に固定して用いていた（例えば、特許文献１参照）。
【特許文献１】特開平１−９３０８５号公報
【発明の開示】
【発明が解決しようとする課題】
【０００３】
しかしながら、前記従来の構成では、少なくとも２種類の出力の異なる加熱コイル、すなわち、被加熱物を載置する火力の強さの異なる加熱部の位置が固定されているために使用者の要望にこたえる事ができない場合があった。例えば、加熱コイルの出力が左側の奥が１ｋＷ、手前が１．５ｋＷ、右側の奥が２ｋＷ、手前が１ｋＷである場合、使用者によっては使用頻度の多い右奥の２ｋＷの加熱コイルを手前に配置した方が便利な場合がある。あるいは、左奥の１ｋＷの加熱コイルと左手前の１．５ｋＷの加熱コイルとの間隔を狭くした方が使い勝手がよい場合がある。このように使用者によって自分がよくする調理の種類が異なり、また量も異なるなどのため、夫々によって同じ機種に対して使い勝手が異なるのが一般的である。しかしながら、従来の構成では加熱コイルの位置を使用者から聞いて変更することができないし、使用者の要望に沿うため同じ機種で加熱部の位置が異なる多種類の装置を品揃えすることは大変であり、実質的には不可能であった。そのため、使用者の要望を満足させることができないという問題があった。
【０００４】
本発明は、前記従来の課題を解決するもので、出力の異なる加熱コイルの配置および／または加熱コイルの間隔を使用者の要望に応じて変更可能な融通性のある構成とすることにより、使用者の利便性の向上を図った誘導加熱調理器を提供することを目的とする。
【課題を解決するための手段】
【０００５】
前記従来の課題を解決するために、本発明の誘導加熱調理器は、複数の加熱コイルの相互の配置の入れ替えおよび／または加熱コイルの間隔の変更を可能とする構成とした。これにより、予め使用者の要望を聞き、その要望にあった加熱コイルの位置を有する機器を提供することができる。
【発明の効果】
【０００６】
本発明の誘導加熱調理器は、出力の異なる加熱コイルの配置および／または加熱コイルの間隔を使用者の要望に応じて変更可能な融通性のある構成とすることができる。
【発明を実施するための最良の形態】
【０００７】
第１の発明は、複数の被加熱物を誘導加熱する加熱コイルを有する誘導加熱調理器であって、前記複数の加熱コイルの相互の配置の入れ替えおよび／または加熱コイルの間隔の変更を可能とする構成としたことにより、予め使用者の要望を聞き、その要望にあった加熱コイルの位置を有する機器とすることができる。
【０００８】
第２の発明は、複数の加熱コイルと、前記加熱コイルの各々を支持する支持体と、前記加熱コイルを駆動する駆動回路を設けたインバータ基板と、前記加熱コイル及び前記駆動回路を冷却する冷却手段と、前記インバータ基板及び前記冷却手段を保持する基板支持体と、前記基板支持体の両側に設けた前記支持体を弾性体を介して保持する複数の支持ボスとを備え、前記各々の支持体の夫々の下面に複数の固定軸を設けると共に、前記複数の加熱コイルの前記基板支持体上での配置の入れ替えおよび／または加熱コイルの間隔の変更を可能とするように前記固定軸に対応して前記支持ボスを配置する構成とした。この構成により、使用者の要望に適応できる融通性のある機器を提供することができる。
【０００９】
第３の発明は、特に第２の発明の構成において、固定軸の長さは支持体の下面と支持ボスの天面との間に空隙が生じる長さとしたことにより、加熱コイルの位置の変更を容易に行うことができる。
【００１０】
第４の発明は、特に、第２の発明の複数の加熱コイルの直径あるいは出力を異にする構成とすることで、容易に自在に加熱コイルの配置だけでなく、出力配置も変えることができるので、より使用者の要望に適応することができる。
【００１１】
第５の発明は、特に、第２ないし４のいずれか１つの発明の加熱コイルの各々を支持する支持体の大きさを異にする構成とすることで、容易に自在に加熱コイルの配置だけでなく、出力配置も変えることができるので、より使用者の要望に適応することができる。
【００１２】
第６の発明は、特に、第２〜５のいずれか１つの発明の各々の支持体において、基板支持体上を前後に移動可能な構成とすることで、１つのモジュールで容易に自在に加熱コイルの位置だけでなく、各加熱コイルの配置を変えることができるので、より使用者の要望に適応することができる。
【００１３】
第７の発明は、特に、第２〜６のいずれか１つの発明の複数の加熱コイルを支持する各々の支持体において、基板支持体上で１８０度回転させて配置の入れ替え可能とした構成とすることで、１つのモジュールで容易に自在に加熱コイルの配置だけでなく、出力配置も変えることができ、かつ組立性の良い機器とすることができる。
【００１４】
第８の発明は、特に、第２〜７のいずれか１つの発明の支持体において、加熱コイルの端子部を固定する端子台を設けた構成とすることで、容易に自在に加熱コイルの配置だけでなく、出力配置も変えることができ、さらに加熱コイルの配線作業がしやすく、効率的に配置できる融通性を有し、かつ組立性の良い機器とすることができる。
【００１５】
第９の発明は、特に、第２〜８のいずれか１つの発明において、基板支持体を支持する外郭を備え、基板支持体は１８０度回転させて外郭に取付け可能な構成とすることで、１つのモジュールで容易に自在に加熱コイルの配置だけでなく、出力配置も変えることができ、さらに、キッチン内の吸排気構成に合わせて冷却手段の位置を変えることのできる融通性が利き、かつ信頼性の高い機器とすることができる。
【００１６】
第１０の発明は、特に、第２〜８のいずれか１つの発明の基板支持体において、９０度回転させて取付け可能な構成とすることで、１つのモジュールで自在に前後の加熱コイルの配置だけでなく、出力配置も変えることができ、さらに、このモジュールを左右の加熱コイルモジュールとする２口、あるいは３口タイプの機器にも展開できる、より融通性の利く機器とすることができる。
【００１７】
第１１の発明は、特に、第２〜１０のいずれか１つの発明の基板支持体において、支持ボスの外側でかつ支持体より外側に壁を設けた構成とすることで、１つのモジュールで容易に自在に加熱コイルの配置だけでなく、出力配置も変えることができ、さらに、基板支持体内に冷却径路が形成される冷却性能の優れた融通性の利きかつ信頼性の高い機器を提供することができる。
【００１８】
以下、本発明の実施の形態について、図面を参照しながら説明する。なお、本実施の形態によって本発明が限定されるものではない。
【００１９】
（実施の形態１）
図１（ａ）は本発明の第１の実施の形態における誘導加熱調理器の加熱コイルの取付け状態を示すの断面図、図１（ｂ）は同誘導加熱調理器の加熱コイルの取付け状態を変更したときの断面図であり、図２は同誘導加熱調理器の外観斜視図、図３は同誘導加熱調理器の内部の上面図、図４は同誘導加熱調理器の基板支持体ユニットの分解斜視図、図５（ａ）は同誘導加熱調理器の加熱コイルの取付け状態を示すの断面図、図５（ｂ）は同誘導加熱調理器の加熱コイルの取付け状態を変更したときの他の例の断面図、図６は同誘導加熱調理器の要部上面図である。
【００２０】
図２において、本体１の上部にトッププレート２がトップフレーム３により取付けられている。トッププレート２には加熱部４〜７が設けられている。この加熱部４〜７は誘導加熱により加熱される鍋等の被加熱物が載置される。また、トッププレート２の下部には加熱部４〜７の位置に夫々対応して加熱コイルが設けられている。また、本体１の前面には魚などを焼くロースタ部８、電源スイッチ９および操作部１０が設けられている。なお、本実施の形態では加熱部が４箇所ある場合について説明する。
【００２１】
図３および４において、加熱部４および５に対応して夫々設けられた渦巻状に形成された加熱コイルＡ２１、加熱コイルＢ２２は支持体Ａ２３、支持体Ｂ２４上に載置、固定されている。加熱コイルＡ２１、加熱コイルＢ２２を駆動するインバータ基板２５と加熱コイルＡ２１、加熱コイルＢ２２を冷却するファンモーター等で構成された冷却手段２６が基板支持体２７上に支持されている。基板支持体２７の両側には支持体Ａ２３、支持体Ｂ２４を支持する支持ボス２８が設けられている。なお、本実施の形態では複数の支持ボスのうち、本説明に必要な支持ボスは支持ボス２８ａ〜２８ｉとして表記し、これらを総括する場合は支持ボス２８とし図示はしていない。そして、支持ボス２８の各々の必要部には、スプリング等の弾性体２９が挿入されている。また、支持体Ａ２３、支持体Ｂ２４に設けられた支持ボス２８に対応した位置に配設されたねじ等で構成された固定軸３０が支持ボス２８の穴に入ることで配置、固定されている。弾性体２９が支持ボス２８に挿入され、支持体下面３１に当たっていることで、支持体下面３１は支持ボス天面３２よりも高い位置にあり、両者の間には空隙が形成されている。このような構成を基板支持体ユニット（以下、モジュールと記す）とし、本実施の形態では２基板支持ユニットすなわち２モジュールを用いた場合を示している。そして、基板支持体２５は外郭３３の中に収納される。
【００２２】
以上のように構成された誘導加熱調理器の内部構成について、以下その動作、作用を説明する。
【００２３】
まず、前記構成において、前後の加熱コイルＡ２１と加熱コイルＢ２２の配置を換える場合について図１を用いて説明する。なお、図１の断面は図４におけるＸＸ線断面で、ＸＸ線の左側から見た断面である。今、各々の加熱コイルＡ２１、加熱コイルＢ２２は、支持体Ａ２３、支持体Ｂ２４に支持されており、また支持体Ａ２３、支持体Ｂ２４は各々複数の弾性体２９、固定軸３０を介して、支持ボス２８ｅ、２８ｉ、２８ｌ、そして支持ボス２８ａ、２８ｃ、２８ｋに支持されている。各支持体下面３１と各支持ボス天面位置３２とには空隙が構成されている。これら加熱コイルＡ２１、加熱コイルＢ２２の配置を図１（ａ）の取付け状態から図１（ｂ）の取付け状態に換える場合、図１のように支持体Ａ２３、支持体２４Ｂの固定軸３２が入る位置は、ピッチが同じなので、お互いに支持ボス２８ａ、２８ｃ、２８ｋ、そして支持ボス２８ｅ、２８ｉ、２８ｌと入れ替わってセットできる。また、さらに図２のように支持ボス２８ｂ、２８ｄ、２８ｎそして支持ボス２８ｅ、２８ｉ、２８ｌとも入れ替わってセットできる。ところが、この構成では、支持体下面３１と支持ボス天面３２には弾性体２９によって、空隙があるため支持ボス２８の長さを同じにしておいても、配置換えを行うのに支持ボス２８の上部を切り取り高さの調節をする必要もなく、ただ単に各々の支持体Ａ２３、支持体Ｂ２４を入れ替えるだけなので容易に実施することができる。
【００２４】
以上のように、本実施の形態においては、複数の支持ボス２８を有し、また支持体下面３１と支持ボス天面には弾性体２９によって生ずる空隙があるため、容易に複数の加熱コイルの入れ換えおよび／または加熱コイルピッチを変えることができるので、１モジュールで使用者に対応して多くのバリエーションがあり、また容易にフレキシブルに対応できる機器を提供することができる。なお、多くの支持ボスの天面の位置を一括して表すために、図面では支持ボス天面位置３２という線を用いている。
【００２５】
また、本実施の形態では、固定軸３２をねじ等で構成すると記載しているが軸をかしめてもよいし、また支持体と一体で構成させても同様の効果が得られる。
【００２６】
また、本実施の形態では、１つの支持体に対して３つの支持ボス２８で支持している構成を書いているが、４つの支持ボスで構成させても同様の効果が得られる。但し、インバータ基板２５の面積を大きく確保したい場合は、３つで均等に振り分ける方が良いし、支持ボス２８は基板支持体２５の両側に配置させる方がよい。
【００２７】
また、本実施の形態では、支持ボス２８ｉは支持ボス２８ｉを除く他の支持ボス２８と違って、近傍に支持ボス２８が１つしかないが、他と同じように複数にしても同様の効果が得られる。但し、先にも述べたようにインバータ基板２５の面積を確保したい場合は、少ないほうがよく、この場合前方に、例えば操作部が形成された際には、加熱コイルはそれ以上前方には移動できないため、１つの支持ボス２８の構成でも目的を達することができる。
【００２８】
また、本実施の形態では、加熱コイルの配置を替える際に、図６に示すように移動用固定軸３４のように支持体側に複数の固定軸を取付けできるような構成にしておいても加熱コイルの移動ができる。
【００２９】
なお、ここで１モジュール内の複数の加熱コイルを入れ替える場合について説明したが、このモジュール以外の他のモジュールの加熱コイルと交換しても同様の効果は得られる。
【００３０】
（実施の形態２）
図７は同誘導加熱調理器の内部の上面図、図８は同誘導加熱調理器の基板支持体ユニットの分解斜視図である。
【００３１】
図７、図８において、基本的な構成は実施の形態１と同様であるため、構成の違うところのみを説明する。渦巻状に形成された加熱コイルＢ４０は加熱コイルＡ２１と出力も大きさも違うもので、支持体Ｂ２４に支持されている。
【００３２】
以上のように構成された誘導加熱調理器の内部構成について、以下その動作、作用を説明する。
【００３３】
動作、作用についても、実施の形態１の内容と違う部分についてだけ述べるため、同様の内容は実施の形態１を参照とする。加熱コイルＡ２１、加熱コイルＢ４０の配置を変える際、支持体Ａ２３、支持体２４Ｂの固定軸３０が入る位置は、ピッチが同じなので、お互いに支持ボス２８ａ、２８ｃ、２８ｋ、そして支持ボス２８ｅ、２８ｉ、２８ｌと入れ換わってセットできる。ところが、この構成では、支持体下面３１と支持ボス天面位置３２には弾性体２９によって、空隙があるため、配置換えを行うのに支持ボス２８の上部を切り取る必要もなく、ただ単に各々の支持体Ａ２３、支持体Ｂ２４を入れ替えるだけなので容易に実施することができる。
【００３４】
以上のように、本実施の形態においては、複数の支持ボス２８を有し、また支持体下面３１と支持ボス天面位置３２には弾性体２９によって空隙があるため、容易に複数の加熱コイルの出力及び大きさの違う加熱コイルの入れ替えと加熱コイルピッチも変えることができるので、１モジュールで使用者に対応してより多くのバリエーション、すなわち、配置、加熱コイル間ピッチ、出力の違う組み合わせがあり、また容易に臨機応変に対応できる機器を提供することができる。
【００３５】
（実施の形態３）
図９は本発明の第３の実施の形態における誘導加熱調理器の内部の上面図、図１０は同誘導加熱調理器の基板支持体ユニットの分解斜視図である。
【００３６】
図９、図１０において、基本的な構成は実施の形態１と同様であるため、構成の違うところのみを説明する。お互いに出力及び大きさの違う渦巻状に形成された加熱コイルＡ４１、加熱コイルＢ４２は、こちらもまたお互い大きさの違う支持体Ａ４３、支持体Ｂ４４上に各々載置、固定されている。そして、支持体Ａ４３、支持体Ｂ４４に設けられた支持ボス２８に対応した位置に配設されたねじ等で構成された固定軸３０が支持ボス２８の穴に入ることで配置、固定されている。弾性体２９が支持ボス２８に挿入され、支持体下面３１に当たっていることで、支持体下面３１は支持ボス天面位置３２よりも高い位置にあり、両者の間には空隙が形成されている。そして、基板支持体２５は外郭３３の中に収納されている。
【００３７】
以上のように構成された誘導加熱調理器の内部構成について、以下その動作、作用を説明する。
【００３８】
動作、作用に関しても、実施の形態１の内容と違う部分についてだけ述べるため、同様の内容は実施の形態１を参照とする。加熱コイルＡ４１、加熱コイルＢ４２の配置を変える際、支持体Ａ４３、支持体４４Ｂの固定軸３２が入る位置は、ピッチが同じなので、お互いに支持ボス２８ａ、２８ｃ、２８ｋ、そして支持ボス２８ｅ、２８ｉ、２８ｌと入れ換わってセットできる。ところが、この構成では、支持体下面３１と支持ボス天面３２には弾性体２９によって、空隙があるため、配置換えを行うのに支持ボス２８の上部を切り取る必要もなく、ただ単に各々の支持体Ａ２３、支持体Ｂ２４を入れ替えるだけなので容易に実施することができる。但し、この場合支持体Ａ４３、支持体Ｂ４４の大きさが違うので、各加熱コイル部の支持ボスの群の関係（支持ボス２８ａ、２８ｂ、２８ｃ、２８ｄ、２８ｆ、２８ｇ、２８ｋ、２８ｍ、２８ｎと支持ボス２８ｅ、２８ｈ、２８ｉ、２８ｊ、２８ｌとのピッチ）は相対的に適度な位置（支持体同士が当たらなくて、少々は移動できる位置）に変えておく必要はある。
【００３９】
以上のように、本実施の形態においては、複数の支持ボス２８を有し、また支持体下面３１と支持ボス天面３２には弾性体２９によって空隙があるため、容易に複数の加熱コイルの出力及び大きさの違う加熱コイルの入れ換えと加熱コイル間のピッチも変えることができるので、１モジュールで使用者により多くのバリエーション、例えば、配置、加熱コイルピッチ、出力の違う組み合わせがあり、これらに対して臨機応変に対応できる機器を提供することができる。
【００４０】
（実施の形態４）
図１１（ａ）は本発明の第４の実施の形態における誘導加熱調理器の加熱コイルの取付け状態を示すの断面図、図１１（ｂ）は同誘導加熱調理器の加熱コイルの取付け状態を変更したときの断面図であり、図４のＸＸ線断面を示したものである。
【００４１】
図１１において、基本的な構成は実施の形態１と同様であるため、説明は省略する。
【００４２】
本実施の形態の誘導加熱調理器の内部構成について、以下その動作、作用を説明する。
【００４３】
動作、作用に関しても、実施の形態１の内容と相違する部分についてのみ述べる。１加熱コイル内での加熱コイルＢ２２を前後に移動することを考える。今、加熱コイルＢ２２は、支持体Ｂ２４に支持されており、また複数の弾性体２９、固定軸３２を介して支持ボス２８ａ、２８ｃ、２８ｋに支持されている。各支持体下面３１と各支持ボス天面３２には空隙が構成されている。これら加熱コイルＢ２２の配置を変える際、支持体２４Ｂの固定軸３２が入る位置は、支持ボス２８ｂ、２８ｄ、２８ｍへとセットできる。ところが、この構成では、支持体下面３１と支持ボス天面位置３２には弾性体２９によって、空隙があるため、前後に移動するのに支持ボス２８の上部を切り取る必要もなく、ただ単に支持体Ｂ２４を移動するだけなので容易に実施することができる。
【００４４】
以上のように、本実施の形態においては、複数の支持ボス２８を有し、また支持体下面３１と支持ボス天面３２には弾性体２９によって空隙があるため、容易に加熱コイルを前後に移動でき加熱コイルピッチを変えることができる。さらに、両加熱コイルの略中央程度移動ができれば、加熱コイル数を１つにすることもできるため、１モジュールで使用者により幅広いバリエーションがあり、これらに対して臨機応変に対応できる機器を提供することができる。
【００４５】
（実施の形態５）
図１２は本発明の第５の実施の形態における誘導加熱調理器の基板支持体ユニットの分解斜視図である。
【００４６】
図１２において、基本的な構成は実施の形態１と同様であるため、構成の違うところのみを説明する。渦巻状に形成された加熱コイルＡ４１は支持体４３に載置、固定されている。そして、前記支持体Ａ４１が１８０度回転した状態で後方の加熱コイル部（ここではその加熱コイル、支持体を各々加熱コイルＢ４２、支持体Ｂ４４とする）に配置されている。インバータ基板２５上には加熱コイルＡ２１、加熱コイルＢ２２のリード線と接続される基板端子台Ａ４５、基板端子台４６がそれぞれに対応して、インバータ基板２５上の左側、右側に配置されている。そして、支持体Ａ４３、支持体Ｂ４４に設けられた支持ボス２８に対応した位置に配設されたねじ等で構成された固定軸３０が支持ボス２８の穴に入ることで配置、固定されている。弾性体２９が支持ボス２８に挿入され、支持体下面３１に当たっていることで、支持体下面３１は支持ボス天面３２よりも高い位置にあり、両者の間には空隙が形成されている。そして、基板支持体２５は外郭３３の中に収納されている。
【００４７】
以上のように構成された誘導加熱調理器の内部構成について、以下その動作、作用を説明する。
【００４８】
動作、作用に関しても、実施の形態１の内容と違う部分についてのみ述べる。加熱コイルＡは１８０度回転して、後方の加熱コイルに取付けられるため、リード線の出口は基板支持体２５のほぼ中央部に出てくる。さらに、基板端子台Ａ４５、基板端子台Ｂ４６もほぼ基板端子台の中央部に位置し、その上各加熱コイルに対応した位置（左右）に配置されているため、配線しやすい適切な位置に構成される。
【００４９】
以上のように、本実施の形態においては、複数の支持ボス２８を有し、また支持体下面３１と支持ボス天面３２には弾性体２９によって空隙があり、複数の加熱コイルの加熱コイルの入れ換えを１８０度回転して、することができるため、加熱コイルの配置が効率よくなされ、さらに配線作業しやすくなるために、１モジュールで使用者により多くのバリエーションがあり、これらに対して臨機応変に対応できる機器を提供するとともに、組立作業者にとっても作業しやすい組立性のよい機器をも提供することができる。
【００５０】
（実施の形態６）
図１３は本発明の第６の実施の形態における誘導加熱調理器の基板支持体ユニットの分解斜視図である。
【００５１】
図１３において、基本的な構成は実施の形態１と同様であるため、構成の違うところのみを説明する。支持体Ａ２３、支持体Ｂ２４には加熱コイルＡ２１、加熱コイルＢ２２からのリード線、つまり加熱コイル端子部Ａ４９、加熱コイル端子部Ｂ５０を固定する端子台Ａ４７、端子台Ｂ４８が構成されている。そして、加熱コイル端子部Ａ４９、加熱コイル端子部と基板端子台Ａ４５、基板端子台Ｂ４６は中継リード線Ａ５１、中継リード線Ｂ５２で接続されている。
【００５２】
以上のように構成された誘導加熱調理器の内部構成について、以下その動作、作用を説明する。
【００５３】
加熱コイル端子部Ａ４９、加熱コイル端子部Ｂ５０は各々支持体に構成されている端子台Ａ４９、端子台Ｂ５０に取付けられているため、加熱コイルユニットとしてユニット化できる。そして、配線においては基板端子台Ａ４５、基板端子台Ｂ４６の位置がインバータ基板２５上のどの位置にあっても中継リード線Ａ５１、中継リード線Ｂ５２の長さを変えるだけですむので、加熱コイルの配線作業がしやすくなる。
【００５４】
以上のように、本実施の形態においては、複数の支持ボス２８を有し、また支持体下面３１と支持ボス天面位置３２には弾性体２９によって空隙があり、支持体には端子台が構成されているため、複数の加熱コイルの加熱コイルの入れ替えを容易にすることができ、加熱コイルの配置も効率よくなされ、さらに配線作業しやすくなるために、１モジュールで使用者により多くのバリエーションがあり、また容易に臨機応変に対応できる機器を提供するとともに、組立作業者にとっても作業しやすい組立性のよい機器をも提供することができる。
【００５５】
また、本実施の形態では、端子台は支持体と一体で構成された内容で記載しているが、別体、例えば、金属製の支持体であるならば、樹脂製の端子台を取付ける等で取付けられても同様の効果が得られる。
【００５６】
（実施の形態７）
図１４は本発明の第７の実施の形態における誘導加熱調理器の内部の上面図である。
【００５７】
図１４において、基本的な構成は実施の形態１と同様であるため、構成の違うところのみを説明する。基板支持体２７は外郭３３の中で１８０度回転させて取付けることができる。基板支持体２５に載っている部品をまとめて、１モジュールユニット５３と記す。
【００５８】
以上のように構成された誘導加熱調理器の内部構成について、以下その動作、作用を説明する。
【００５９】
動作、作用に関しても、実施の形態１の内容と異なる部分についてのみ述べるため、同様の内容は実施の形態１を参照とする。例えば、この誘導加熱調理器の下にくるオーブン等の製品の排気が後方にあるとする。その際、冷却手段２６は後方にあるため製品からの排気が直接、冷却手段に吸い込まれるため誘導加熱調理器の内部部品の冷却性能が悪くなる。ところが、１モジュールユニットは１８０度回転して、外郭３３に取付けられることができるので、冷却手段２６は前方に配置されるため、製品からの排気は直接入ることはなく、仕切りをつけたりすれば、熱い排気を吸うことを防ぐことができるため冷却性能は確保することができる。また、１８０度回転することで、加熱コイル配置も変えることができるため、右ユニットと左ユニットを違う配置にすることもできる。
【００６０】
以上のように、本実施の形態においては、複数の支持ボス２８を有し、また支持体下面３１と支持ボス天面位置３２には弾性体２９によって空隙があり、１モジュールユニットを１８０度回転しても取付けられることができるため、各キッチンのタイプに応じて配置を替えることのでき、１モジュールで使用者により多くのバリエーションがあり、これらに対して臨機応変に対応できる機器を提供することができる。
【００６１】
（実施の形態８）
図１５は本発明の第８の実施の形態における誘導加熱調理器の内部の上面図であり、図１６（ａ）は同誘導加熱調理器の加熱コイルの取付け状態を示すの断面図、図１６（ｂ）は同誘導加熱調理器の加熱コイルの取付け状態を変更したときの断面図である。
【００６２】
図１５、図１６において、基本的な構成は実施の形態１と同様であるため、構成の異なるところのみを説明する。基板支持体２７は外郭３３の中で９０度回転させて取付けることができる。
【００６３】
以上のように構成された誘導加熱調理器の内部構成について、以下その動作、作用を説明する。
【００６４】
動作、作用についても、実施の形態１の内容と異なる部分についてのみ述べる。今、１モジュールユニット５３は縦に２列並べて４口加熱コイルの機器を形成している。ところが、１モジュールユニット５３は９０度回転させて、外郭３３に取付けることができるので、２口や３口の誘導加熱調理器をも１つのモジュールで作成することができる。ただし、３口目は、必ずしもこの１モジュールユニット５３で構成されなくてもよい。そして、複数の支持ボス２８があることにより、加熱コイルＡ２１、加熱コイルＢ２２の位置を換えることができるため、加熱コイル間のピッチを広げることができ、通常の２口、３口の製品の加熱コイルピッチとほぼ同様にまで合わせることができる。
【００６５】
以上のように、本実施の形態においては、複数の支持ボス２８を有し、また支持体下面３１と支持ボス天面位置３２には弾性体２９によって空隙があり、１モジュールユニットを９０度回転しても取付けられることができるため、２口、３口タイプの機器を作成することができるので、１モジュールで使用者にさらにより多くのバリエーションがあり、これらに対して臨機応変に対応できる機器を提供することができる。
【００６６】
（実施の形態９）
図１７は本発明の第９の実施の形態における誘導加熱調理器の内部の上面図であり、図１８（ａ）は同誘導加熱調理器の加熱コイルの取付け状態を示すの断面図、図１８（ｂ）は同誘導加熱調理器の冷却風の流れを示す図である。
【００６７】
図１７、図１８において、基本的な構成は実施の形態１と同様であるため、構成の異なるところのみを説明する。基板支持体２５の両側には支持ボス２８より外側でかつ支持体Ａ２３、支持体Ｂ２４よりも外側に壁５４が設けられている。
【００６８】
以上のように構成された誘導加熱調理器の内部構成について、以下その動作、作用を説明する。
【００６９】
動作、作用についても、実施の形態１の内容と異なる部分についてのみ述べる。基板支持体２５には壁５４が設けられているため、インバータ基板２５は上の支持体Ａ２３、支持体Ｂ２４とも合わせて囲われ、冷却手段からの風は、上やサイドから漏れることなく効率よく部品を冷却することができる。
【００７０】
以上のように、本実施の形態においては、複数の支持ボス２８を有し、また支持体下面３１と支持ボス天面３２には弾性体２９によって空隙があり、基板支持体２５の両側には壁５４が設けられていることで冷却性能もよくすることができるため、１モジュールで使用者により多くのバリエーションがあり、これらに対して臨機応変に対応できるとともに信頼性のよい機器をも提供することができる。
【００７１】
なお、本実施の形態の説明にあたっては、加熱コイルを４個用いた場合を主として説明したが、これに限定されるものではなく、加熱コイルは２個以上であってもよいのは勿論である。しかし加熱コイルが少なくとも３個以上になるとその効果は大きくなり実用的価値が大きくなる。
【産業上の利用可能性】
【００７２】
以上のように、本発明にかかる誘導加熱調理器は容易に加熱コイルの配置や加熱コイル間のピッチを変えることができるので、複数の誘導加熱部を有する誘導加熱調理器に適用できる。
【図面の簡単な説明】
【００７３】
【図１】（ａ）本発明の第１の実施の形態における誘導加熱調理器の加熱コイルの取付け状態を示すの断面図（ｂ）同誘導加熱調理器の加熱コイルの取付け状態を変更したときの断面図
【図２】同誘導加熱調理器の外観図
【図３】同誘導加熱調理器の内部の上面図
【図４】同誘導加熱調理器の基板支持体ユニットの分解斜視図
【図５】（ａ）同誘導加熱調理器の加熱コイルの取付け状態を示すの断面図（ｂ）同誘導加熱調理器の加熱コイルの取付け状態を変更したときの他の例の断面図
【図６】同誘導加熱調理器の要部上面図
【図７】本発明の実施の形態２における誘導加熱調理器の内部の上面図
【図８】同誘導加熱調理器の基板支持体ユニットの分解斜視図
【図９】本発明の実施の形態３における誘導加熱調理器の内部の上面図
【図１０】同誘導加熱調理器の基板支持体ユニットの分解斜視図
【図１１】（ａ）本発明の第４の実施の形態における誘導加熱調理器の加熱コイルの取付け状態を示すの断面図（ｂ）同誘導加熱調理器の加熱コイルの取付け状態を変更したときの断面図
【図１２】本発明の第５の実施の形態における誘導加熱調理器の基板支持体ユニットの分解斜視図
【図１３】本発明の第６の実施の形態における誘導加熱調理器の基板支持体ユニットの分解斜視図
【図１４】本発明の第７の実施の形態における誘導加熱調理器の内部の上面図
【図１５】本発明の第８の実施の形態における誘導加熱調理器の内部の上面図
【図１６】（ａ）同誘導加熱調理器の加熱コイルの取付け状態を示すの断面図（ｂ）同誘導加熱調理器の加熱コイルの取付け状態を変更したときの断面図
【図１７】本発明の第９の実施の形態における誘導加熱調理器の内部の上面図
【図１８】（ａ）同誘導加熱調理器の加熱コイルの取付け状態を示すの断面図（ｂ）同誘導加熱調理器の冷却風の流れを示す図
【符号の説明】
【００７４】
２１、４０、４１  加熱コイルＡ
２２、４２  加熱コイルＢ
２３、４３  支持体Ａ
２４、４４  支持体Ｂ
２５  インバータ基板
２６  冷却手段
２７  基板支持体
２８ａ〜２８ｎ  支持ボス
２９  弾性体
３０  固定軸
３１  支持体下面
３３  外郭
４７  端子台Ａ
４８  端子台Ｂ
５４  壁
【図１】
2005123104.tif 000003
【図２】
2005123104.tif 000004
【図３】
2005123104.tif 000005
【図４】
2005123104.tif 000006
【図５】
2005123104.tif 000007
【図６】
2005123104.tif 000008
【図７】
2005123104.tif 000009
【図８】
2005123104.tif 000010
【図９】
2005123104.tif 000011
【図１０】
2005123104.tif 000012
【図１１】
2005123104.tif 000013
【図１２】
2005123104.tif 000014
【図１３】
2005123104.tif 000015
【図１４】
2005123104.tif 000016
【図１５】
2005123104.tif 000017
【図１６】
2005123104.tif 000018
【図１７】
2005123104.tif 000019
【図１８】
2005123104.tif 000020